(57)【特許請求の範囲】
【請求項１】
搬送されるシートに帯電した電荷を除電することができるシート搬送装置において、
シートを搬送するための搬送回転体と、
前記シートの搬送経路を形成すると共に、前記シートの搬送をガイドするためのガイド部材と、
前記ガイド部材にガイドされて搬送されるシートに接触可能なシート状の導電性除電部材と、
を有し、
前記除電部材を前記ガイド部材のシートガイド面側から裏面側へ折り返し、前記折り返した部分をアースされたアース部材に接触させたことを特徴とするシート搬送装置。
【請求項２】
前記ガイド部材はシートをすくい上げるようにガイドするための斜面部を有し、前記除電部材は前記斜面部を折り返すように取り付けらてシートのガイドを兼ねるように構成されていることを特徴とする請求項１記載のシート搬送装置。
【請求項３】
前記アース部材は、金属フレームであることを特徴とする請求項１記載のシート搬送装置。
【請求項４】
シートに記載された情報を読み取って排出する画像読取装置において、
給送されたシートに記載された情報を読み取るための読取手段と、
前記読取手段で読み取られたシートを搬送するための搬送手段と、
を有し、
前記搬送手段として請求項１乃至請求項３のいずれか１項記載のシート搬送装置を用いたことを特徴とする画像読取装置。
【請求項５】
前記画像読取装置は、シートの搬送経路が開放可能に構成されていることを特徴とする請求項４記載の画像読取装置。
【請求項６】
前記除電部材は、前記読取手段の近傍に設けられていることを特徴とする請求項４記載の画像読取装置。
【発明の詳細な説明】
【０００１】
【発明の属する技術分野】
本発明はスキャナや複写機、或いはファクシミリ装置等のように複数枚の原稿を連続して読み取ることが可能な画像読取装置及びこれに用いることが可能なシート搬送装置に関する。
【０００２】
【従来の技術】
原稿を連続して読み取り、排出トレイに積み重ねて排出する複写機やファクシミリ装置等にあっては、排出される原稿が帯電している場合や原稿搬送路で帯電した場合、排出された原稿相互が貼り付いて捌き難くなったり、静電気により電気回路が誤動作したりするのを防止するために、排出ローラの近傍に除電ブラシと呼ばれる除電部材を設けているのが一般的である。
【０００３】
この除電ブラシは多数の導電性針をブラシ状に構成し、その導電性針が排出される原稿に接触するように配置すると共に、装置フレーム等を介してアースしたものである。そして、排出される原稿が前記導電性針に接触すると、該針を介して原稿に帯電した電荷が逃げることによって除電されるものである。
【０００４】
【発明が解決しようとする課題】
しかしながら、前記除電ブラシは導電性針が原稿に接触して撓むために、排出ローラの近傍であって、該ローラの上流側に配置すると、搬送される原稿に引かれて除電針が撓み、近傍にある排出ローラに巻き込まれるおそれがある。
【０００５】
また、多数の針をブラシ状に構成しているために、針が抜けるおそれがあり、抜けた針が原稿に付着すると画像読み取りに影響を及ぼす場合もある。
【０００６】
本発明は上記課題を解決するものであり、その目的は、除電針が排出ローラに巻き込まれたり、除電針が抜けて画像に影響を及ぼしたりする可能性があって、除電ブラシを設置できない部分であってもシートの搬送に影響を与えることなく、効率よくシートの静電気を除電することが可能なシート搬送装置及びこれを用いた画像読取装置を提供するものである。
【０００７】
【課題を解決するための手段】
上記目的を達成するための本発明に係る代表的な構成は、搬送されるシートに帯電した電荷を除電することができるシート搬送装置において、シートを搬送するための搬送回転体と、前記シートの搬送経路を形成すると共に、前記シートの搬送をガイドするためのガイド部材と、前記ガイド部材にガイドされて搬送されるシートに接触可能なシート状の導電性除電部材とを有し、前記除電部材を前記ガイド部材のシートガイド面側から裏面側へ折り返し、前記折り返した部分をアースされたアース部材に接触させたことを特徴とする。
【０００８】
上記構成にあっては、除電部材としてシート状の部材を用い、これをシートをガイドするガイド部材に沿って取り付けてあるために、従来の除電ブラシのように除電針が排出ローラ等に巻き込まれることがなく、また抜けた除電針が原稿に付着して画像形成に影響を及ぼすことなく、シートに帯電した電荷を除去することができる。更に、読取部近傍に除電針を設けることで、原稿台ガラス面上との擦れで発生した電荷を直後に除電して、他の部材に静電気がとぶことによる誤動作も生じない。
【０００９】
【発明の実施の形態】
次に本発明に係るシート搬送装置を用いた画像読取装置及びこれを用いた画像形成装置の一実施形態としてファクシミリ装置を例示し、これについて図面を参照して説明する。尚、図１は読取装置の構成説明図であり、図２はファクシミリ装置全体の構成概略説明図、図３は原稿搬送経路を開放した状態の斜視説明図であり、図４はファクシミリ装置全体の外観説明図である。
【００１０】
ここでは、まずファクシミリ装置の全体構成について説明し、次に原稿の除電構成について説明する。
【００１１】
｛ファクシミリ装置の全体説明｝
図１及び図２において、１は画像読取装置を構成するフラットベッドスキャナであり、原稿支持部材である原稿台ガラス１ａ上に静止又は移動する原稿３に記載された画像を読み取るものである。２は開閉部材である圧板であって、装置本体に対して使用者が上下に開閉することができ、原稿台ガラス１ａ上に置かれた原稿３を押さえるものである。４は画像を読み取る密着型イメージセンサである。
【００１２】
圧板２の上面にはシート状の原稿３を複数枚積載することができるように構成された原稿台２ｂが設けてある。そして、シート原稿３を原稿搬送手段を構成する搬送部５によって一枚ずつ分離しつつ搬送すると共に、シート読取部６で原稿に記載された情報を読み取る。ここで、原稿搬送部５は圧板２の一部に設けられており、圧板２の開閉とともに上下動する。また、読取部６で読み取られた原稿３を原稿排紙トレイ７に排出する。
【００１３】
前記読取部６で読み取られた情報又は他のファクシミリ装置から送信された情報はレーザービームプリンタからなる画像形成手段８にによって記録される。この画像形成手段８は、カセット給紙部９又は手差し給紙部１０から供給される記録媒体である記録紙に画像形成部１１でトナー像を転写記録すると共に、定着部１２で定着し、排紙ローラ対１３によって記録紙排紙トレイ１４に排出する。
【００１４】
また、図１５はファクシミリ装置の制御部であり、図３及び図４に示す１６は表示部、入力部等により構成された操作部である。
【００１５】
（読取手段）
原稿記載情報を読み取るための読取手段は、シート状の原稿（以下「シート原稿」という）及び本などの厚みのある原稿（以下「ブック原稿」という）の双方を密着型イメージセンサ４によって読み取るようになっている。
【００１６】
前記密着型イメージセンサ４は、原稿の読取面を照らす照明手段４ａと、原稿の読取面からの反射光が通過するセルフォックレンズ４ｂとレンズの直下に配置され反射光を結像させるイメージセンサ４ｃとからなる。ここで、前記セルフォックレンズは長焦点タイプであり、厚さ３ｍｍの原稿台ガラス１ａの上面側に焦点が合うよう設定されている。
【００１７】
フラットベッドスキャナ１は、ブック原稿等を静止させた状態で読み取るために（原稿静止読取モード）、原稿を載置する原稿台ガラス１ａが設けられている。
【００１８】
２ａは原稿押さえ部を構成する押さえ板であり、圧板２に対して固定して支持されており、圧板２を閉じることで原稿台ガラス１ａ上の原稿を押圧する。１ｂはフラットベッドスキャナ１の構造体となるフレームであり原稿台ガラス１ａを支持している。
【００１９】
前記圧板２は２個のヒンジ１９（図３参照）がフレーム１ｂとの間に設けられ、圧板２がフレーム１ｂに対して所定角度だけ回動開閉可能に構成されており、使用者が圧板２を開いて原稿台ガラス１ａ面上に原稿を載置する構成になっている。そして、原稿静止読取モードの場合には、密着型イメージセンサが図示せぬ駆動機構によりブック原稿の副走査方向（図２の矢印Ａ方向）に移動しながら読み取る。
【００２０】
（シート原稿搬送装置）
シート原稿搬送手段を構成する原稿搬送部５は、原稿載置台２ｂ上に積載したシート原稿３を、まず予備搬送ローラ５ａと予備搬送押圧板５ｂにより送り出し、分離片５ｃと接した分離ローラ５ｄで一枚ずつ分離し、さらに原稿給送ローラ５ｅと押圧バネにより押圧された給送コロ５ｆとでシート読取部６に搬送する。尚、図２に示す６ａは搬送したシート原稿３が原稿台ガラス１ａから浮き上がるのを防止するための回転体である原稿押さえローラである。
【００２１】
シート原稿３は、密着型イメージセンサ４を原稿押さえローラ６ａの下に静止させた状態で読み取る（原稿移動読取モード）。ここで、原稿押さえローラ６ａによりシート原稿３を原稿台ガラス１ａ面上に密着搬送させつつシート原稿３の画像情報を読み取るようになっており、この原稿押さえローラ６ａは押圧手段によって原稿台ガラス１ａに押圧されるようになっている。
【００２２】
そして、読み取られた原稿は、搬送回転体を構成する原稿排紙ローラ５ｇと原稿排紙コロ５ｈにより原稿排紙トレイ７に排出される。
【００２３】
尚、本実施形態に係るシート搬送装置にあっては、シート原稿３に帯電している電荷を除去して排出するように構成されている。この除電構成については後述する。
【００２４】
原稿搬送部５は、前述の如く圧板２の一部に設けられ、圧板２を開いたときには原稿搬送部５も上に上がる構成であり、原稿押さえローラ６ａ等と原稿台ガラス１ａとの間が開放され、原稿ジャムなどの際に原稿搬送路を開放して容易にジャム処理等をすることができる。
【００２５】
また、原稿載置台２ｂにはシート原稿３の搬送方向と直角方向（原稿３の幅方向）にスライド可能なスライダ２ｃが設けられていて、前記スライダ２ｃによって原稿載置台２ｂ上に載置されたシート原稿３の両サイドを揃えることができるようになっている。
【００２６】
（画像形成手段）
画像形成手段を構成する画像形成手段８は、装置本体側に配置され、汎用サイズの用紙Ｐが積層収容されたカセット９ａ内の用紙Ｐを給送ローラ９ｂにより１枚ずつ分離し、レジストローラ対１７により用紙Ｐの斜行を補正し、制御部１５からのプリント信号と同期させ用紙Ｐが上方へ搬送され画像形成部１１へ給送される。
【００２７】
そして、電子写真感光体である感光体ドラム１１ａの表面を帯電部材１１ｂにより一様に帯電させ、この表面をレーザスキャナー１８により画像情熱に基づいて露光される。これにより、感光体ドラム１１ａ上に静電潜像を形成させ、前記画像形成部の現像剤としてのトナーを現像剤担持体たる現像スリーブ１１ｃにより感光体ドラム１１ａ上の静電潜像に転移させ、感光体ドラム１１ａ上にトナー像が形成される。そして、前記トナー像を転写ローラ１１ｄにより用紙Ｐに転写し、さらに前記用紙Ｐは上方の定着部１２へ搬送される。定着部１２では、用紙Ｐ上に転写されたトナーを定着ローラ１２ａと加圧ローラ１２ｂにより搬送して熱と圧力により用紙Ｐ上に定着し、この用紙Ｐを排紙ローラ対１３により記録紙排紙トレイ１４に順次排出される。
【００２８】
一方、手差し用給紙部１０に積載された用紙Ｐは給紙ローラ１０ａと対向位置に配置された分離パット１０ｂにより、１枚に分離されレジストローラ対１７により用紙Ｐの斜行を補正し、前述のように用紙Ｐを上方へ搬送し画像形成部１１でトナー画像を転写し、定着部１２で定着し同様に用紙Ｐを記録紙排紙トレイ１４に順次排紙されるようになっている。
【００２９】
｛原稿の除電構成｝
本実施形態に係る読取装置にあっては、シート原稿３が排紙トレイ７に排出される際に該原稿３に帯電した電荷を除電するように構成している。そのために、図１に示すように、原稿台ガラス１ａと原稿排紙ローラ５ｇとの間には原稿３の搬送経路を形成すると共に、該原稿３の搬送をガイドするためのガイド部材である原稿下ガイド２０が設けられており、この原稿下ガイド２０が原稿台ガラス１ａと対向する側は原稿台ガラス１ａに沿って搬送されるシート原稿３ををすくい上げるようにガイドするための斜面部２０ａが形成されている。この原稿下ガイド２０は装置本体を介してアースされているアース部材である金属フレーム２１に支持されている。
【００３０】
そして、図１（ａ）（ｂ）に示すように、前記原稿下ガイド２０にはシート読取部６で読み取られて排出される原稿３に接触可能なように除電部材２２が取り付けられている。この除電部材２２は、シート状の導電性部材であり、原稿下ガイド２０の原稿ガイド面側から斜面部２０ａを巻くように裏面側へ折り返し、この折り返した部分が前記金属フレーム２１に接触するように取り付けられている。
【００３１】
前記除電部材２２の材質としては、厚さ０．０５ｍｍ〜０．５ｍｍ  程度の銅、アルミ粘着テープ、又はカーボン含有樹脂材（塩化ビニル、ポリエチレンテレフタレート）等が好適に用いられ、本実施形態では原稿３の幅以上の幅を有する厚さ０．２ｍｍ  のカーボン含有塩化ビニルシートを原稿下ガイド２０に接着して取り付けている。
【００３２】
ここで、原稿３はもともと帯電していたり、原稿台ガラス１ａとの擦れによって帯電したりするが、この帯電は前記のように除電部材２２を取り付けることにより、イメージセンサ４で読み取られた原稿３は原稿下ガイド２０でガイドされる際に除電部材２２に接触し、該原稿３に帯電した電荷が除電部材２２を介して除電される。
【００３３】
前記除電部材２２はシート状の部材で構成してあるために、密着型イメージセンサ４の近傍であって、原稿排紙ローラ５ｇ及び原稿排紙コロ５ｈの上流側に配置したとしても、従来の除電ブラシのように針が抜け落ちてイメージセンサ４での原稿読み取りに悪影響を及ぼすおそれがなく、また前記ローラ対５ｇ，５ｈに巻き込まれるおそれもない。従って、従来は配置することが困難であったイメージセンサ４の近傍や排出ローラ対の近傍であって原稿搬送方向上流側であっても問題なく配置することができる。
【００３４】
また、本実施形態にあってはシート状の除電部材２２が原稿下ガイド２０の斜面部２０ａを巻くように折り返してあるために、この除電部材２２が搬送される原稿３をすくい上げるようにガイドする機能も果たす。
【００３５】
そして、本実施形態のように原稿３の読取側にあるガラスと原稿との帯電を取り除く場合、原稿の画像面を除電するが、この画像面はインクやトナーがのっており、除電部材が汚れ易い。しかし、本実施形態のように除電部材がブラシでないタイプにあっては清掃を容易に行うことができる。
【００３６】
また、読取センサ下流側であって、排紙ローラ５ｇや排紙コロ５ｈの上流側で除電することにより、下流側にある排紙ローラ５ｇ等の金属軸に放電しないようにすることができる。
【００３７】
前記のようにして除電された原稿３は排出ローラ対５ｇ，５ｈによって原稿排紙トレイ７に排出されるが、本実施形態にあっては排出ローラ対５ｇ，５ｈの下流側に設けられた除電ブラシ２３が原稿表面側に接触し、該原稿３の電荷をより確実に除去するようになっている。この除電ブラシ２３は従来と同様のブラシ状の除電部材であるが、排出ローラ対５ｇ，５ｈの下流側に配置されているために、針が排出ローラ対５ｇ，５ｈに巻き込まれるおそれはない。
【００３８】
尚、前述した実施形態では除電部材２２を読取部の下流側に設けたが、この除電部材を読取部よりも上流側に設けるようにしてもよい。その場合は、原稿読取前に電荷（静電気）を除去できるので、読取センサに直接放電して読取画像に影響を及ぼす不具合を回避することができる。
【００３９】
また、前述した実施形態にあってはシート状の除電部材２２を画像読取装置における原稿排出装置に設けた例を示したが、読取装置のみならず記録シートを排出する排出装置の部分に設けることにより、記録されたシートを除電することも可能である。
【００４０】
【発明の効果】
本発明は前述のように除電部材としてシート状の部材を用い、これをシートをガイドするガイド部材に巻き付けるようにして取り付けてあるために、従来の除電ブラシのように排出ローラ等に巻き込まれることがなく、また原稿に付着して画像形成に影響を及ぼすことなく、シートに帯電した電荷を除去することができる。
【図面の簡単な説明】
【図１】（ａ）  は読取装置の構成説明図であり、（ｂ）  は除電部材の取り付け状態の拡大説明図である。
【図２】ファクシミリ装置全体の構成概略説明図である。
【図３】原稿搬送経路を開放した状態の斜視説明図である。
【図４】ファクシミリ装置全体の外観説明図である。
【符号の説明】
Ｐ        …用紙
１        …フラットベッドスキャナ
１ａ    …原稿台ガラス
１ｂ    …フレーム
２        …圧板
２ａ    …押さえ板
２ｂ    …原稿載置台
２ｂ    …原稿台
２ｃ    …スライダ
３        …シート原稿
４        …密着型イメージセンサ
４ａ    …照明手段
４ｂ    …セルフォックレンズ
４ｃ    …イメージセンサ
５        …原稿搬送部
５ａ    …予備搬送ローラ
５ｂ    …予備搬送押圧板
５ｃ    …分離片
５ｄ    …分離ローラ
５ｅ    …原稿給送ローラ
５ｆ    …給送コロ
５ｇ    …原稿排紙ローラ
５ｈ    …原稿排紙コロ
６        …シート読取部
６ａ    …ローラ
７        …原稿排紙トレイ
８        …画像形成手段
９        …カセット給紙部
９ａ    …カセット
９ｂ    …給送ローラ
１０        …給紙部
１０ａ    …給紙ローラ
１０ｂ    …分離パット
１１        …画像形成部
１１ａ    …感光体ドラム
１１ｂ    …帯電部材
１１ｃ    …現像スリーブ
１１ｄ    …転写ローラ
１２        …定着部
１２ａ    …定着ローラ
１２ｂ    …加圧ローラ
１３        …排紙ローラ対
１４        …記録紙排紙トレイ
１５        …制御部
１６        …操作部
１７        …レジストローラ対
１８        …レーザスキャナー
１９        …ヒンジ
２０        …原稿下ガイド
２０ａ    …斜面部
２１        …金属フレーム
２２        …除電部材
２３        …除電ブラシ
【図１】
0003584145.tif 000002
【図２】
0003584145.tif 000003
【図３】
0003584145.tif 000004
【図４】
0003584145.tif 000005